(57)【要約】      （修正有）【課題】速やかに組み立てることができ、ストックを減らし、部品を減らし、製造コストを下げる。【解決手段】メインボードがコンピュータからのアナログ或いはデジタルＲＧＢ信号を受け取り、変換後にＬＣＤパネルを駆動し、ＬＣＤパネルがこのコンピュータ信号を表示し、該電源供給器サブボードがメインボードの必要とする電源を提供し、該チューナーサブボードはテレビジョン信号を受け取り、変換して該ＬＣＤパネルを駆動し、該ＬＣＤパネルにテレビジョン信号を表示させ、該延伸オーディオビデオ入出力サブボードは異なる規格のオーディオビデオ入出力コネクタを具え、該延伸オーディオビデオ入出力サブボードがメインボードに挿入される時、同じ規格のオーディオビデオ信号を受け取り及び出力し、該電源供給器サブボード、チューナーサブボード及び延伸オーディオビデオ入出力サブボードが接続装置で該メインボードに電気的に接続され、要求に応じて異なるサブボードが挿入される。【選択図】図２
0003102447.tif 000002
【実用新案登録請求の範囲】
【請求項１】
メインボード、電源供給器サブボード、チューナーサブボード、及び延伸オーディオビデオ入出力サブボードを具え、
該メインボードは、ＶＧＡコネクタ、変換器或いは受信器、ビデオデコーダチップ、スケーラー、及びＬＣＤパネルを具え、該メインボードはＶＧＡコネクタを介してコンピュータからのＲＧＢ信号を受け取り、該ＲＧＢ信号を変換器或いは受信器で変換してデジタルＲＧＢ信号となし、該デジタルＲＧＢ信号を該スケーラーで該ＬＣＤパネルに適合するビデオ信号に変換して該ＬＣＤパネルを駆動し、該ＬＣＤパネルにこのコンピュータ信号を表示させ、
該電源供給器サブボードはメインボードの必要とする異なる電源を提供し、
該チューナーサブボードはテレビジョン信号を受け取り、該テレビジョン信号をビデオデコーダチップに送り、ビデオデコーダチップがデジタル信号を発生し、該デジタル信号をスケーラーでＬＣＤパネルに適合するビデオ信号に変換して該ＬＣＤパネルを駆動し、該ＬＣＤパネルにテレビジョン信号を表示させ、
該延伸オーディオビデオ入出力サブボードは異なる規格のオーディオビデオ入出力コネクタを具え、該延伸オーディオビデオ入出力サブボードがメインボードに挿入される時、同じ規格のオーディオビデオ信号を受け取り及び出力し、
該電源供給器サブボード、チューナーサブボード及び延伸オーディオビデオ入出力サブボードが接続装置で該メインボードに電気的に接続され、要求に応じて異なるサブボードが挿入されることを特徴とする、液晶ディスプレイの分離式基板装置。
【請求項２】
請求項１記載の液晶ディスプレイの分離式基板装置において、接続装置が一対の雄雌型コネクタとされて電源供給器サブボード、チューナーサブボード、延伸オーディオビデオ入出力サブボードをメインボードと電気的に接続させることを特徴とする、液晶ディスプレイの分離式基板装置。
【請求項３】
請求項１記載の液晶ディスプレイの分離式基板装置において、接続装置がゴールドフィンガー及び対応するコネクタとされて電源供給器サブボード、チューナーサブボード、延伸オーディオビデオ入出力サブボードをメインボードと電気的に接続させることを特徴とする、液晶ディスプレイの分離式基板装置。
【請求項４】
請求項１記載の液晶ディスプレイの分離式基板装置において、接続装置がバス及び対応するコネクタとされて電源供給器サブボード、チューナーサブボード、延伸オーディオビデオ入出力サブボードをメインボードと電気的に接続させることを特徴とする、液晶ディスプレイの分離式基板装置。
【考案の詳細な説明】
【技術分野】
【０００１】
本考案は液晶ディスプレイ技術に係り、特に液晶ディスプレイの分離式基板装置に関する。
【背景技術】
【０００２】
電子技術の急速な発展により、現在の電子製品は軽量化、薄型化、コンパクト化の傾向に進化している。テレビジョンに使用されていたＣＲＴはテレビジョンのスクリーンサイズが大きくなるほどテレビジョンの奥行きを増す。現代の狭い空間にあっては、大サイズのテレビジョンを如何に設置するかが重要な問題となる。液晶ディスプレイの誕生は、このような問題を解決する。
【０００３】
液晶ディスプレイはテレビジョンとして使用されるほか、コンピュータのディスプレイに使用される。図１は周知の液晶ディスプレイのシステムブロック図である。それは、チューナー１１０、サウンドプロセッサ１２０、ビデオデコーダチップ１３０、ＶＧＡコネクタ１４０、変換器或いは受信器１５０、スケーラー（ｓｃａｌｅｒ）１６０、ＬＣＤパネル１７０、スピーカ１８０及び電源供給器１９０を具えている。
【０００４】
該ＶＧＡコネクタ１４０はコンピュータ（図示せず）の伝送するアナログ或いはデジタルＲＧＢ信号を受け取り、アナログＲＧＢ信号であればアナログ・デジタル変換器（変換器或いは受信器１５０）でデジタルＲＧＢ信号に変換し、デジタルＲＧＢ信号であれば変換器（変換器或いは受信器１５０）でデジタル準位のＲＧＢ信号に変換する。このデジタルＲＧＢ信号はスケーラー１６０でＬＣＤパネル１７０に適合するビデオ信号に変換された後、ＬＣＤパネル１７０を駆動し、該ＬＣＤパネル１７０がコンピュータディスプレイ信号を表示する。
【０００５】
該チューナー１１０はテレビジョン信号を受け取り、並びにテレビジョン信号中の画像部分をビデオデコーダチップ１３０に伝送し、該ビデオデコーダチップ１３０がデジタル信号を発生し、該デジタル信号がスケーラー１６０でＬＣＤパネル１７０に適合するビデオ信号に変換された後に、ＬＣＤパネル１７０を駆動し、これにより該ＬＣＤパネル１７０がテレビジョン信号を表示する。該テレビジョン信号中の音声部分はサウンドプロセッサ１２０に送られて適当な音声形式に変換され、スピーカ１８０を駆動する。該電源供給器１９０は各集積回路及び全体システムの電源を供給する。
【０００６】
図１に示されるように、該液晶ディスプレイはコンピュータ用のモニタとして使用されるほか、テレビジョンのモニタとして使用される。テレビジョンシステムにはＮＴＳＣ、ＰＡＬ、ＳＥＣＡＭがあり、ゆえにチューナーの受信システムもまたそれに対応して異なるものがある。モニタにも１７インチ、２０インチ、・・・３０インチのサイズ区分があり、その電源供給器の規格にも当然差異がある。工場生産を標準化してコストを減らすためには差異部分を分離する必要がある。共通部分をメインボード、差異部分をサブボードと称する。
【考案の開示】
【考案が解決しようとする課題】
【０００７】
本考案の主要な目的は、一種の液晶ディスプレイの分離式基板装置を提供することにあり、それは、各種のサブボードにより各種製品を速やかに組み立てることができ、ストックを減らし、さらに液晶ディスプレイの不必要な部品を減らし、製造コストを下げられるようにしたものとする。
【課題を解決するための手段】
【０００８】
請求項１の考案は、メインボード、電源供給器サブボード、チューナーサブボード、及び延伸オーディオビデオ入出力サブボードを具え、
該メインボードは、ＶＧＡコネクタ、変換器或いは受信器、ビデオデコーダチップ、スケーラー、及びＬＣＤパネルを具え、該メインボードはＶＧＡコネクタを介してコンピュータからのＲＧＢ信号を受け取り、該ＲＧＢ信号を変換器或いは受信器で変換してデジタルＲＧＢ信号となし、該デジタルＲＧＢ信号を該スケーラーで該ＬＣＤパネルに適合するビデオ信号に変換して該ＬＣＤパネルを駆動し、該ＬＣＤパネルにこのコンピュータ信号を表示させ、
該電源供給器サブボードはメインボードの必要とする異なる電源を提供し、
該チューナーサブボードはテレビジョン信号を受け取り、該テレビジョン信号をビデオデコーダチップに送り、ビデオデコーダチップがデジタル信号を発生し、該デジタル信号をスケーラーでＬＣＤパネルに適合するビデオ信号に変換して該ＬＣＤパネルを駆動し、該ＬＣＤパネルにテレビジョン信号を表示させ、
該延伸オーディオビデオ入出力サブボードは異なる規格のオーディオビデオ入出力コネクタを具え、該延伸オーディオビデオ入出力サブボードがメインボードに挿入される時、同じ規格のオーディオビデオ信号を受け取り及び出力し、
該電源供給器サブボード、チューナーサブボード及び延伸オーディオビデオ入出力サブボードが接続装置で該メインボードに電気的に接続され、要求に応じて異なるサブボードが挿入されることを特徴とする、液晶ディスプレイの分離式基板装置としている。
請求項２の考案は、請求項１記載の液晶ディスプレイの分離式基板装置において、接続装置が一対の雄雌型コネクタとされて電源供給器サブボード、チューナーサブボード、延伸オーディオビデオ入出力サブボードをメインボードと電気的に接続させることを特徴とする、液晶ディスプレイの分離式基板装置としている。
請求項３の考案は、請求項１記載の液晶ディスプレイの分離式基板装置において、接続装置がゴールドフィンガー及び対応するコネクタとされて電源供給器サブボード、チューナーサブボード、延伸オーディオビデオ入出力サブボードをメインボードと電気的に接続させることを特徴とする、液晶ディスプレイの分離式基板装置としている。
請求項４の考案は、請求項１記載の液晶ディスプレイの分離式基板装置において、接続装置がバス及び対応するコネクタとされて電源供給器サブボード、チューナーサブボード、延伸オーディオビデオ入出力サブボードをメインボードと電気的に接続させることを特徴とする、液晶ディスプレイの分離式基板装置としている。
【考案の効果】
【０００９】
本考案の液晶ディスプレイの分離式基板装置は、各種のサブボードにより各種製品を速やかに組み立てることができ、ストックを減らし、さらに液晶ディスプレイの不必要な部品を減らし、製造コストを下げられるようにする。
【考案を実施するための最良の形態】
【００１０】
本考案の液晶ディスプレイの分離式基板装置は、メインボード、電源供給器サブボード、チューナーサブボード、及び延伸オーディオビデオ入出力サブボードを具えている。該メインボードは、ＶＧＡコネクタ、変換器或いは受信器、ビデオデコーダチップ、スケーラー、及びＬＣＤパネルを具えている。そのうち、メインボードはコンピュータからのＲＧＢ信号を受け取り、該ＲＧＢ信号を変換器或いは受信器で変換してデジタルＲＧＢ信号となし、該デジタルＲＧＢ信号を該スケーラーで該ＬＣＤパネルに適合するビデオ信号に変換して該ＬＣＤパネルを駆動し、該ＬＣＤパネルがこのコンピュータ信号を表示する。該電源供給器サブボードはメインボードの必要とする異なる電源を提供する。該チューナーサブボードはテレビジョン信号を受け取り、該テレビジョン信号をビデオデコーダチップに送り、ビデオデコーダチップがデジタル信号を発生し、該デジタル信号をスケーラーでＬＣＤパネルに適合するビデオ信号に変換して該ＬＣＤパネルを駆動し、該ＬＣＤパネルにテレビジョン信号を表示させる。該延伸オーディオビデオ入出力サブボードは異なる規格のオーディオビデオ入出力コネクタを具え、該延伸オーディオビデオ入出力サブボードがメインボードに挿入される時、同じ規格のオーディオビデオ信号を受け取り及び出力し、該電源供給器サブボード、チューナーサブボード及び延伸オーディオビデオ入出力サブボードが接続装置で該メインボードに電気的に接続され、要求に応じて異なるサブボードが挿入される。
【実施例１】
【００１１】
本考案の液晶ディスプレイの分離式基板装置は、図２に示されるように、メインボード２００、電源供給器サブボード３００、チューナーサブボード４００、及び延伸オーディオビデオ入出力サブボード５００を具えている。該メインボード２００は、ＶＧＡコネクタ２４０、変換器或いは受信器２５０、ビデオデコーダチップ２３０、スケーラー２６０、スピーカ２８０、サウンドプロセッサ２２０及びＬＣＤパネル２７０を具えている。そのうち、メインボード２００はＶＧＡコネクタ２４０によりコンピュータより送られたＲＧＢ信号を受け取り、該ＲＧＢ信号を変換器或いは受信器２５０で変換してデジタルＲＧＢ信号となし、該デジタルＲＧＢ信号を該スケーラー２６０で該ＬＣＤパネル２７０に適合するビデオ信号に変換して該ＬＣＤパネル２７０を駆動し、該ＬＣＤパネル２７０にこのコンピュータ信号を表示させる。
【００１２】
該電源供給器サブボード３００はその上に電源供給器２９０を具え、メインボード２００の必要とする異なる電源を提供し、該電源供給器サブボード３００は該メインボード２００と接続装置６００により電気的に接続される。該チューナーサブボード４００はそのうえにチューナー２１０を具え、それはテレビジョン信号を受け取り、該テレビジョン信号をメインボード２００上のビデオデコーダチップ２３０に伝送し、該ビデオデコーダチップ２３０がこれによりデジタル信号を発生し、該デジタル信号がスケーラー２６０によりＬＣＤパネル２７０に適合するビデオ信号に変換されてＬＣＤパネル２７０を駆動し、該ＬＣＤパネル２７０に該テレビジョン信号を表示させる。該チューナーサブボード４００とメインボード２００は接続装置８００により電気的に接続される。
【００１３】
該延伸オーディオビデオ入出力サブボード５００はその上に異なる規格のオーディオビデオ入出力コネクタ、例えば、Ｓ−ｖｉｄｅｏ端子５１０、ＣＶＢＳ端子５２０を具え、延伸オーディオビデオ入出力サブボード５００がメインボード２００に挿入される時、同じ規格のオーディオビデオ信号を受け取り及び出力することができる。該延伸オーディオビデオ入出力サブボード５００はメインボード２００と接続装置７００により電気的に接続される。
【００１４】
該電源供給器サブボード３００、チューナーサブボード４００及び延伸オーディオビデオ入出力サブボード５００はメインボード２００と、接続装置６００、７００、８００により電気的に接続され、異なる要求により異なるサブボードが挿入される。
【００１５】
該接続装置６００、７００、８００は一対の雄雌型コネクタ、ゴールドフィンガー及び対応するコネクタ、或いはバス及び対応するコネクタとされる。上述のいずれかの接続装置により、該電源供給器サブボード３００、チューナーサブボード４００、延伸オーディオビデオ入出力サブボード５００が製品の必要（例えばテレビジョンシステム、サイズ等）により選択的にメインボード２００と接続される。
【００１６】
以上の説明から分かるように、該メインボード２００と電源供給器サブボード３００は液晶ディスプレイの必要とするすべての機能を具え、製品が液晶ディスプレイをテレビジョンとする必要がある時、チューナーサブボード４００、延伸オーディオビデオ入出力サブボード５００が接続装置で接続される。本考案は各種サブボードにより、速やかに各種製品を組み立てることができ、ストックを減らし、液晶ディスプレイの不必要な部品を減らし、製造コストを減らすことができる。
【００１７】
総合すると、本考案はその目的、手段、機能のいずれにおいても周知の技術の特徴とは異なっており、極めて実用価値を具えている。なお以上の実施例は本考案の実施範囲を限定するものではなく、本考案に基づきなしうる細部の修飾或いは改変は、いずれも本考案の請求範囲に属するものとする。
【図面の簡単な説明】
【００１８】
【図１】周知の液晶ディスプレイのシステムブロック図である。
【図２】本考案のブロック図である。
【符号の説明】
【００１９】
１１０  チューナー                      １２０  サウンドプロセッサ
１３０  ビデオデコーダチップ            １４０  ＶＧＡコネクタ
１５０  変換器或いは受信器              １６０  スケーラー
１７０  ＬＣＤパネル                    １８０  スピーカ
１９０  電源供給器
２００  メインボード                    ３００  電源供給器サブボード
４００  チューナーサブボード
５００  延伸オーディオビデオ入出力サブボード
２４０  ＶＧＡコネクタ                  ２５０  変換器或いは受信器
２３０  ビデオデコーダチップ            ２６０  スケーラー
２８０  スピーカ                        ２２０  サウンドプロセッサ
２７０  ＬＣＤパネル                    ２１０  チューナー
２９０  電源供給器                      ５１０  Ｓ−ｖｉｄｅｏ端子
５２０  ＣＶＢＳ端子                    ６００  接続装置
７００  接続装置                        ８００  接続装置
【図１】
0003102447.tif 000003
【図２】
0003102447.tif 000004